(57)【要約】【目的】部品の共通化を促進した振動子用ベース及びこれを用いた表面実装振動子を提供する。【構成】【請求項１】両主面に形成された励振電極から一対の引出電極を延出した水晶片の一端部外周と電気的に接続する内部水晶端子をベース上に有する水晶振動子用ベースにおいて、前記内部水晶端子を少なくとも３個設けて、前記一端部外周に延出した一対の引出電極の位置に応じて前記水晶端子のうち２個を選択して使用される。又は、前記一対の内部水晶端子の少なくとも一方と選択的に接続される第１と第２の導電路を有する。【選択図】図１
2004146956.tif 000002
【特許請求の範囲】
【請求項１】
両主面に形成された励振電極から一対の引出電極を延出した水晶片の一端部外周と電気的に接続する内部水晶端子をベース上に有する水晶振動子用ベースにおいて、前記内部水晶端子を少なくとも３個設けて、前記一端部外周に延出した一対の引出電極の位置に応じて前記水晶端子のうち２個を選択して使用される水晶振動子用ベース。
【請求項２】
両主面に形成された励振電極から一対の引出電極を延出した水晶片の一端部外周と電気的に接続する一対の内部水晶端子をベース上に有する水晶振動子用ベースにおいて、前記一対の内部水晶端子の少なくとも一方と選択的に接続される第１と第２の導電路を有する水晶振動子用ベース。
【請求項３】
請求項１又は２の水晶振動子用ベースを用いて構成した表面実装振動子。
【発明の詳細な説明】
【０００１】
【発明の属する技術分野】
本発明は水晶振動子用ベース（以下、振動子用ベースとする）及びこれを用いた表面実装振動子を産業上の技術分野とし、特に外部水晶端子の位置を選択できる振動子用ベースに関する。
【０００２】
【従来の技術】
（発明の背景）表面実装振動子は小型・軽量であることから、特に携帯型の電子機器に周波数及び時間の基準源として採用される。近年では、例えば携帯電話におけるセット基板の回路パターンに応じて、外部水晶端子７（ａｂ）の位置が要求されている。
【０００３】
（従来技術の一例）第８図乃至第１０図は一従来例を説明する図で、第８図は表面実装振動子の断面図、第９図（ａ）は金属リングを除く振動子用ベースの平面図、同図（ｂ）は底面図、第１０図は水晶片の平面図である。
【０００４】
表面実装振動子は、積層セラミックからなる凹状とした振動子用ベース１に水晶片２を収容し、金属からなるカバー３を被せて密閉封入してなる。振動子用ベース１は底壁４と枠壁５からなり、底壁４の露出した内表面の一端部には第１と第２とする一対の内部水晶端子６（ａｂ）を有する。
【０００５】
振動子用ベース１の外表面の４角部には、表面実装用の外部端子７（ａｂｃｄ）を有する。この例では、一組の対角部を外部水晶端子７（ａｂ）とし、他組の対角部を外部アース端子７（ｃｄ）とする。外部水晶端子７（ａｂ）は、導電路８を経て内部水晶端子６（ａｂ）と接続する。外部アース端子７（ｃｄ）は、枠壁５に設けたスルーホール（電極貫通孔）９等によってカバー３と電気的に接続する。
【０００６】
水晶片２は例えばＡＴカットからなる。そして、両主面に励振電極１０（ａｂ）を有し、一端部両側にそれぞれ他主面側に折り返された引出電極１１（ａｂ）を延出する。引出電極１１（ａｂ）の延出した一端部両側は導電性接着剤１２によって内部水晶端子６（ａｂ）に固着される。これにより、電気的・機械的に接続されて、一端部両側が保持される。
【０００７】
【発明が解決しようとする課題】
（従来技術の問題点）しかしながら、上記構成の表面実装振動子では一対の振動子用ベース１の一組の対角部に外部水晶端子７（ａｂ）を延出する。このため、外部水晶端子７（ａｂ）は、振動子用ベース１における長手方向の一端部両側との仕様があった場合には、新たに振動子用ベース１を設計しなければならず、部品の共通化を困難にする問題があった。
【０００８】
なお、一組の対角部及び一端部両側に外部水晶端子７（ａｂ）を設けた振動子用ベース１を予め設計して在庫すればよいが、各種の外形寸法毎にこれらを設計して在庫することは生産性を低下させて無駄を生ずる。
【０００９】
（発明の目的）本発明は部品の共通化を促進した振動子用ベース及びこれを用いた表面実装振動子を提供することを目的とする。
【００１０】
【課題を解決するための手段】
本発明の請求項１では、ベースの一端部に内部水晶端子を少なくとも３個設けて、一端部外周に延出した水晶片の一対の引出電極の位置に応じて２個を選択する構成とする。
【００１１】
これにより、内部水晶端子の１個を一端部の一角部に延出し、残りの２個を一端部及び他端部の他角部に延出すれば、水晶片における一対の引出電極の位置を変更することによって、一対の引出電極と電気的に接続する外部水晶端子を一組の対角部又は一端部両側に設けられる。
【００１２】
請求項２では、ベースの一端部に設けられた一対の内部水晶端子の少なくとも一方と選択的に接続される第１と第２の導電路を有する構成とする。
【００１３】
これにより、内部水晶端子の他方を一端部の一角部に延出し、内部水晶端子の一方と選択的に選択される第１と第２の導電路を一端部及び他端部の他角部に延出すれば、一対の引出電極と電気的に接続する外部水晶端子を一組の対角部又は一端部両側に設けられる。
【００１４】
【第１実施例】
第１図は本発明の第１実施例の一例を説明する表面実装振動子の図で、特に振動子用ベースの金属リングを除く平面図である。なお、前従来例と同一部分には同番号を付与してその説明は簡略又は省略する。
【００１５】
表面実装振動子は前述したように凹状とした振動子用ベース１に水晶片２を収容し、カバー３を接合して密閉封入してなる（前第８図参照）。第１実施例での振動子用ベース１は、底壁５の露出した内表面の一端部に第１から第３の計３個の内部水晶端子６（ａｂｃ）を形成する。
【００１６】
すなわち、第１の内部水晶端子６ａは一端部の一側に設けられ、導電路８を経て他端部の一側に延出し、底壁４と枠壁５の積層面及びスルーホールによる端面電極経て外表面の外部水晶端子７ａに接続する。第２の内部水晶端子６ｂは一端部の他側に設けられ、一端部の他側に延出して外部水晶端子７ｂと接続する。そして、新たに設けられる第３の内部水晶端子６ｃは一端部の中央に設けられ、一端部の一側に延出して外部水晶端子７ｃと接続する。
【００１７】
要するに、第１と第２の内部水晶端子６（ａｂ）は一組の対角部に延出して外部水晶端子７（ａｂ）と電気的に接続し、一組の対角方向に対をなす外部水晶端子７（ａｂ）を形成する。そして、第３の内部水晶端子６ｃは一端部の一側に延出して外部水晶端子７ｃと接続し、第２の内部水晶端子６ｂと接続した外部水晶端子７ｂとともに長手方向の一端部両側に対をなす外部水晶端子７（ｂｃ）を形成する。
【００１８】
さらに、第３の内部水晶端子ｃと接続する外部水晶端子７ｃは、第１の内部水晶端子６ａと接続した外部水晶端子７ａとともに短手方向の一端部両側に対をなす外部水晶端子７（ａｃ）を形成する。なお、他端部の他側の外部アース端子７ｄは、枠壁５のスルーホール９を経て金属カバー３に電気的に接続する。
【００１９】
このようなものでは、外部水晶端子を一組の対角部とする場合には、第２図（ａ）に示すように、引出電極１１（ａｂ）が一端部両側に延出した水晶片２を適用する。また、外部水晶端子を長手方向の一端部両側とする場合には、第２図（ｂ）に示すように、引出電極１１（ａｂ）が一端部の他側と中央に延出した水晶片２を適用する。さらに、外部水晶端子を短手方向の一端部両側とする場合には、第２図（ｃ）に示すように、引出電極１１（ａｂ）が一端部の一側と中央に延出した水晶片２を適用する。
【００２０】
このような構成であれば、水晶片２の引出電極１１（ａｂ）の位置さえ変更すれば、対角方向及び長手又は短手方向の一端部両側を対をなす外部水晶端子とすることができる。したがって、対をなす外部水晶端子を任意に選択できて振動子用ベース１を共通部品化できる。そして、外部水晶端子の位置変更があっても新たに振動子ベース１を設計して金型等を製作する必要がないので、ユーザの注文に対して即座に対応できる。
【００２１】
なお、第１実施例の一例においては、第１の内部水晶端子６ａは他端部の一側の外部水晶端子７ａと、第２の内部水晶端子６ｂは一端部の他側の外部水晶端子７ｂと、第３の内部水晶端子６ｃは一端部の一側の外部水晶端子７ｃと接続したが、他の例として第３図に示したようにしてもよい。
【００２２】
すなわち、第１の内部水晶端子６ａは一端部の一側の外部水晶端子７ｃと、第２の内部水晶端子６ｂは他端部の一側の外部水晶端子７ａと、第３の内部水晶端子６ｃは一端部の他側の外部水晶端子７ｂと接続してもよい。
【００２３】
この場合でも、同様に水晶片２の引出電極１１（ａｂ）を変更するのみで、対をなす外部水晶端子を選択できる。但し、この場合の水晶片２は第４図（ａｂ）に示したように、一端部の他側と中央に引出電極１１（ａｂ）が延出した水晶片２、又は一端部の一側と中央に引出電極１１（ａｂ）が延出した水晶片２が適用される。
【００２４】
また、これらの例では、対をなす外部水晶端子の位置に対応して水晶片２の引出電極１１（ａｂ）を変更したが、例えば第５図（ａｂ）に示したようにしてもよい。すなわち、一主面の引出電極１１ａを一端部の他側に、他主面の引出電極１１ｂを一端部の一側と中央に「同図（ａ）」、あるいは一側から中央にかけて「同図（ｂ）」形成してもよい。このようにすれば、水晶片２をも共通部品化できて生産性を高められる。これは第３図及び第４図に示した他の例の場合でも同様である。
【００２５】
【第２実施例】
第６図は本発明の第２実施例を説明する表面実装振動子の図で、特に振動子用ベースの金属リングを除く平面図である。なお、前第１実施例と同一部分の説明は簡略又は省略する。
【００２６】
第２実施例では、振動子用ベース１の一端部両側に第１と第２の内部水晶端子６（ａｂ）を形成する。そして、例えば第１の水晶端子６ａから延出して、他端部の一側の外部水晶端子７ａと接続した導電路８ａを矢印Ａで示す内表面で分断する。また、第１の水晶端子６ａから延出して、一端部の一側の外部水晶端子７ｃと接続した導電路８ｂを矢印Ｂで示す内表面で分断する。第２の内部水晶端子は一端部の他側の外部水晶端子７ｂと接続する。他端部の他側の外部アース端子７ｄはカバーと接続する。水晶片２は一端部両側に引出電極１１（ａｂ）の延出したものが適用される。
【００２７】
このようなものでは、例えば一組の対角部に外部水晶端子７（ａｂ）を要求された場合には、分断された導電路８ａを図示しない導電性接着剤等によって接続する。また、一端部両側に外部水晶端子７（ｂｃ）を要求された場合には、分断された導電路８ｂを導電性接着剤等によって接続する。
【００２８】
このような構成であれば、導電路８（ａｂ）のいずれかを選択することによって、一組の対角方向及び長手方向の一端部両側に設けられた対をなす外部水晶端子を得られる。したがって、振動子用ベース１を共通部品化できるとともにユーザの要求に即座に対応できる。
【００２９】
なお、この例では分断された導電路８（ａｂ）を選択して接続したが、例えば第７図のようにしてもよい。すなわち、第１の内部水晶端子６ａと外部水晶端子７（ａｃ）に接続した導電路８（ａｂ）を形成する。そして、例えば一組の対角方向を選択する場合には導電路８ｂの矢印Ｂで示す内表面を分断する。また、長手方向の一端部両側を選択する場合には導電路８ａの矢印Ａで示す内表面を分断する。
【００３０】
このようなものでも、前述同様に導電路８（ａｂ）のいずれかを選択することによって、一組の対角方向及び長手方向の一端部両側に設けられた対をなす外部水晶端子を得られ、振動子用ベース１を共通部品化できるとともにユーザの要求に即座に対応できる。
【００３１】
上記各実施例では、金属カバーを外部アース端子に接続したが、例えば樹脂カバー等であっても適用できる。この場合、外部端子は例えば接続用のみのダミー端子とすればよい。
【００３２】
【発明の効果】
本発明は、ベースの一端部に内部水晶端子を少なくとも３個設けて、一端部外周に延出した水晶片の一対の引出電極の位置に応じて２個を選択する。あるいは、ベースの一端部に設けられた一対の内部水晶端子の少なくとも一方と選択的に接続される第１と第２の導電路を有する構成とする。これらにより、部品の共通化を促進した振動子用ベース及びこれを用いた表面実装振動子を提供できる。
【図面の簡単な説明】
【図１】本発明の第１実施例の一例を説明する表面実装振動子の図で、特に振動子用ベースの金属リングを除く平面図である。
【図２】第１実施例の一例に適用される水晶片の平面図である。
【図３】本発明の第１実施例の他例を説明する表面実装振動子の図で、特に振動子用ベースの金属リングを除く平面図である。
【図４】本発明の第１実施例の他例に適用される水晶片の平面図である。
【図５】本発明の第１実施例の一例に適用される水晶片の平面図である。
【図６】本発明の第２実施例の一例を説明する表面実装振動子の図で、特に振動子用ベースの金属リングを除く平面図である。
【図７】本発明の第２実施例の他例を説明する表面実装振動子の図で、特に振動子用ベースの金属リングを除く平面図である。
【図８】従来例を説明する表面実装振動子の断面図である。
【図９】従来例を説明する金属リングを除く振動子用ベーの平面図及びは底面図である。
【図１０】従来例を説明する水晶片の平面図である。
【符号の説明】
１　振動子用ベース、２　水晶片、３　カバー、４　底壁、５　枠壁、６　内部水晶端子、７　外部端子、８　導電路、９　スルーホール、１０　励振電極、１１　引出電極、１２　導電性接着剤。
【図１】
2004146956.tif 000003
【図２】
2004146956.tif 000004
【図３】
2004146956.tif 000005
【図４】
2004146956.tif 000006
【図５】
2004146956.tif 000007
【図６】
2004146956.tif 000008
【図７】
2004146956.tif 000009
【図８】
2004146956.tif 000010
【図９】
2004146956.tif 000011
【図１０】
2004146956.tif 000012